(57)【要約】【課題】床パネルの温度を適正に保つことができる温調システムを提供する。【解決手段】温調システムは、温水または冷水が供給される第１〜第８床冷暖房パネル（Ｐ１〜Ｐ８）と、第１〜第８床冷暖房パネル（Ｐ１〜Ｐ８）がそれぞれ設置された複数の温調ゾーンのいずれかの温度を検出する温調ゾーン温度センサ（４０４）を有するリモートコントローラ（４００）と、床パネル（Ｐ１〜Ｐ８）の放熱量または吸熱量を制御する熱量制御部（２２２）と、第１〜第８床冷暖房パネル（Ｐ１〜Ｐ８）の各々に対して、第１〜第８床冷暖房パネル（Ｐ１〜Ｐ８）の放熱量または吸熱量を、温調ゾーン温度センサ（４０４）により検出された温調ゾーンの温度を用いて制御するか、あるいは、温調ゾーン温度センサ（４０４）により検出された温調ゾーンの温度を用いることなく制御するかを選択するリモコンサーモ設定部（４０５）と、を備える。【選択図】図１
2016125676.tif 000002
【特許請求の範囲】
【請求項１】
温水または冷水が供給される複数の床パネル（Ｐ１〜Ｐ８）と、
上記床パネル（Ｐ１〜Ｐ８）がそれぞれ設置された複数の温調ゾーンのいずれかの温度を検出する温度センサ（４０４）を有するコントローラ（４００）と、
上記床パネル（Ｐ１〜Ｐ８）の放熱量または吸熱量を制御する熱量制御部（２２２）と、
上記床パネル（Ｐ１〜Ｐ８）の各々に対して、上記床パネル（Ｐ１〜Ｐ８）の放熱量または吸熱量を、上記温度センサ（４０４）により検出された上記温調ゾーンの温度を用いて制御するか、あるいは、上記温度センサ（４０４）により検出された上記温調ゾーンの温度を用いることなく制御するかを選択する選択部（４０５）と
を備えたことを特徴とする温調システム。
【請求項２】
請求項１に記載の温調システムにおいて、
１つの上記コントローラ（４００）の温度センサ（４０４）により検出された上記温調ゾーンの温度を用いて、複数の上記床パネル（Ｐ１〜Ｐ８）が制御可能であることを特徴とする温調システム。
【請求項３】
請求項１または２に記載の温調システムにおいて、
外気温度を検出する外気温度センサ（１１０）をさらに備え、
上記熱量制御部（２２２）は、上記温度センサ（４０４）により検出された上記温調ゾーンの温度と、上記外気温度センサ（１１０）により検出された外気温度とに基づいて、上記床パネル（Ｐ１〜Ｐ８）の放熱量または吸熱量を制御することを特徴とする温調システム。
【発明の詳細な説明】
【技術分野】
【０００１】
本発明は、温調システムに関し、詳しくは、温水を利用した暖房運転または冷水を利用した冷房運転のうちの少なくとも一方を行う温調システムに関する。
【背景技術】
【０００２】
従来、温調システムとしては、床暖房パネルと熱源機との間で循環ポンプを介して温水を循環させて暖房を行う温水床暖房装置がある(例えば、特開２００４−２０００８号公報(特許文献１)参照)。
【０００３】
上記温水床暖房装置では、遠隔操作器からの制御信号を受けて、熱源機に伝達するための中継器を備え、その中継器の室温検出サーミスタにより室内温度を検出する。そして、上記温水床暖房装置は、設定温度と室内温度との偏差に基づいて、室内温度が設定温度になるように床暖房パネルへの温水供給量を制御している。
【先行技術文献】
【特許文献】
【０００４】
【特許文献１】特開２００４−０２０００８号公報
【発明の概要】
【発明が解決しようとする課題】
【０００５】
ところで、上記温水床暖房装置では、屋内の複数の異なる場所（温調ゾーン）に床暖房パネルを設けた場合、中継器が設置されていない温調ゾーンの床暖房パネルへの温水供給量も、中継器が設置されていない温調ゾーンの床暖房パネルと同様に、中継器が設置されている温調ゾーンの室内温度に基づいて制御することが考えられる。しかし、このような制御を、中継器が設置されている温調ゾーンの室内温度と中継器が設置されていない温調ゾーンの室内温度とが異なっている場合に行うと、中継器が設置されていない温調ゾーンの床暖房パネルが実際とは異なる室内温度に基づいて制御されてしまい、中継器が設置されていない温調ゾーンの室内温度を設定温度にすることができないという問題が発生する。
【０００６】
そこで、本発明の課題は、複数の床パネルの放熱量または吸熱量をそれぞれ適正に制御できる温調システムを提供することにある。
【課題を解決するための手段】
【０００７】
上記課題を解決するため、本発明の温調システムは、
温水または冷水が供給される複数の床パネルと、
上記床パネルがそれぞれ設置された複数の温調ゾーンのいずれかの温度を検出する温度センサを有するコントローラと、
上記床パネルの放熱量または吸熱量を制御する熱量制御部と、
上記床パネルの各々に対して、上記床パネルの放熱量または吸熱量を、上記温度センサにより検出された上記温調ゾーンの温度を用いて制御するか、あるいは、上記温度センサにより検出された上記温調ゾーンの温度を用いることなく制御するかを選択する選択部と
を備えたことを特徴としている。
【０００８】
ここで、「温調ゾーン」とは、床パネルから温熱または冷熱が供給される空間をいい、例えば、「リビング」、「キッチン」あるいは「寝室」などの室内空間をいう。また、「コントローラ」とは、この温調システムの運転を制御するための指令を行う操作機器である。
【０００９】
本発明の温調システムによれば、選択部により、床パネルの各々に対して、床パネルの放熱量または吸熱量を、温度センサにより検出された温調ゾーンの温度を用いて制御するか、あるいは、温度センサにより検出された温調ゾーンの温度を用いることなく制御するかを選択できる。このため、温調ゾーンに応じて、床パネルの放熱量または吸熱量を適正に制御できる。
【００１０】
また、一実施形態の温調システムでは、
１つのコントローラの温度センサにより検出された温調ゾーンの温度を用いて、複数の床パネルが制御可能である。
【００１１】
上記実施形態によれば、１つのコントローラの温度センサにより検出された温調ゾーンの温度を用いて、複数の床パネルが制御可能である。このため、例えば、温度センサにより温度が検出される温調ゾーンと同程度の冷暖房負荷を有する温調ゾーンが複数存在する場合、これら複数の温調ゾーンの床パネルを１つのコントローラの温度センサにより検出された温調ゾーンの温度を用いて制御できる。
【００１２】
また、一実施形態の温調システムでは、
外気温度を検出する外気温度センサをさらに備え、
上記熱量制御部は、上記温度センサにより検出された上記室内の温度と、上記外気温度センサにより検出された外気温度とに基づいて、上記床パネルの放熱量または吸熱量を制御する。
【００１３】
上記実施形態によれば、選択された温調ゾーンの床パネルの放熱量または吸熱量は、温調ゾーンの温度に加え、外気温度に基づいて、制御される。このため、温調ゾーンに応じて、床パネルの放熱量または吸熱量を適正に制御できる。
【発明の効果】
【００１４】
本発明によれば、複数の床パネルの放熱量または吸熱量をそれぞれ適正に制御できる温調システムを実現することができる。
【図面の簡単な説明】
【００１５】
【図１】本発明の実施の一形態の温調システムの概略構成図である。
【図２】上記温調システムのリモートコントローラの概略正面図である。
【図３】上記リモートコントローラの画面表示を説明するための図である。
【発明を実施するための形態】
【００１６】
以下、本発明の温調システムを図示の実施形態により詳細に説明する。
【００１７】
図１は本発明の実施の一形態の温調システムの概略構成図を示している。
【００１８】
〔温調システムの全体構成〕
上記温調システムは、室外機１００と、この室外機１００に接続された床冷暖房ユニット２００と、この床冷暖房ユニット２００に接続された床パネルの一例としての第１〜第８床冷暖房パネルＰ１〜Ｐ８と、コントローラの一例としてのリモートコントローラ４００とを備える。
【００１９】
〔室外機１００の構成〕
上記室外機１００は、圧縮機１０１、四路切換弁１０２、室外熱交換器１０３、電動膨張弁１０４およびアキュムレータ１０５を有する。この電動膨張弁１０４の一端には、室外熱交換器１０３の一端が接続され、電動膨張弁１０４の他端には、床冷暖房ユニット２００の水熱交換器２０１の他端が接続されている。また、四路切換弁１０２の第１ポート１０２ａは、圧縮機１０１の吐出側に接続されている。また、四路切換弁１０２の第２ポート１０２ｂは、室外熱交換器１０３の他端に接続されている。また、四路切換弁１０２の第３ポート１０２ｃは、アキュムレータ１０５を介して圧縮機１０１の吸入側に接続されている。また、四路切換弁１０２の第４ポート１０２ｄは、床冷暖房ユニット２００の水熱交換器２０１の一端に接続されている。この水熱交換器２０１には、プレート式水熱交換器を用いている。
【００２０】
暖房運転時、四路切換弁１０２が実線の切換位置に切り換えられて、第１ポート１０２ａと第４ポート１０２ｄとの間が連通すると共に、第２ポート１０２ｂと第３ポート１０２ｃとの間が連通する。
【００２１】
一方、冷房運転時、四路切換弁１０２が点線の切換位置に切り換えられて、第１ポート１０２ａと第２ポート１０２ｂとの間が連通すると共に、第３ポート１０２ｃと第４ポート１０２ｄとの間が連通する。
【００２２】
また、上記室外機１００は、第１〜第４温度センサ１０６〜１０９と、外気温度センサ１１０と、第１〜第４温度センサ１０６〜１０９により検出された冷媒温度および外気温度センサ１１０により検出された室外温度を表す信号を受ける室外機用制御装置１２０とを有する。上記第１〜第４温度センサ１０６〜１０９および外気温度センサ１１０は、例えばサーミスタからなる。
【００２３】
上記第１温度センサ１０６は、電動膨張弁１０４と水熱交換器２０１との間の冷媒の温度を検出する。上記第２温度センサ１０７は、四路切換弁１０２の第４ポート１０２ｄと水熱交換器２０１との間の冷媒の温度を検出する。上記第３温度センサ１０８は、圧縮機１０１と四路切換弁１０２の第１ポート１０２ａとの間の冷媒の温度を検出する。上記第４温度センサ１０９は、室外熱交換器１０３内の冷媒の温度を検出する。上記外気温度センサ１１０は、外気温度を検出する。
【００２４】
上記室外機用制御装置１２０は、インバータ(図示せず)を介して、圧縮機１０１の運転周波数を制御する。この室外機用制御装置１２０は、水熱交換器２０１および室外熱交換器１０３の熱交換効率が最適となるように、電動膨張弁１０４の開度も制御する。また、室外機用制御装置１２０は、図示しない信号線を介して床冷暖房ユニット用制御装置２２０に接続されており、室外機用制御装置１２０と床冷暖房ユニット用制御装置２２０は、互いに協調動作する。
【００２５】
また、上記室外熱交換器１０３、圧縮機１０１、水熱交換器２０１および電動膨張弁１０４を環状に接続することにより冷媒回路を構成している。
【００２６】
また、図示しないが、室外熱交換器１０３の近傍には室外ファンが配置されている。この室外ファンが室外熱交換器１０３に送風を行う。
【００２７】
〔床冷暖房ユニット２００の構成〕
上記床冷暖房ユニット２００は、水熱交換器２０１、膨張タンク２０２、循環ポンプ２０３、往きヘッダ２０４および戻りヘッダ２０５を有する。
【００２８】
上記水熱交換器２０１は凝縮器または蒸発器として機能する。すなわち、水熱交換器２０１は、冷媒と水との熱交換を行う。これにより、水熱交換器２０１で所望の温度の温水または冷水が生成される。また、水熱交換器２０１には、室外機１００からの冷媒が流れる流路と、第１〜第８床冷暖房パネルＰ１〜Ｐ８からの戻り水が流れる流路とが設けられている。
【００２９】
上記膨張タンク２０２は、正負圧弁が付いており、水熱交換器２０１からの温水(または冷水)が溜まる。また、膨張タンク２０２の上部には給水口２０２ａが設けられており、給水口２０２ａから膨張タンク２０２内に水が必要時に補充される。
【００３０】
上記循環ポンプ２０３は、吸入側が膨張タンク２０２に接続されている一方、吐出側が往きヘッダ２０４に接続されている。これにより、循環ポンプ２０３は、水熱交換器２０１を通過する冷媒と熱交換した温水(または冷水)を第１〜第８床冷暖房パネルＰ１〜Ｐ８に送ることができるようになっている。
【００３１】
また、上記往きヘッダ２０４には、第１〜第８熱動弁Ｖ１〜Ｖ８の一端と、水抜き栓Ｖ９の一端とが接続されている。この第１〜第８熱動弁Ｖ１〜Ｖ８の他端には、第１〜第８床冷暖房パネルＰ１〜Ｐ８の水入口が接続されている。第１〜第８熱動弁Ｖ１〜Ｖ８は、第１〜第８床冷暖房パネルＰ１〜Ｐ８に温水(または冷水)を供給するための流路を開閉する開閉弁である。
【００３２】
上記第１〜第８熱動弁Ｖ１〜Ｖ８は、温水(または冷水)の流れを制御する。より詳しくは、第１〜第８熱動弁Ｖ１〜Ｖ８は、床冷暖房ユニット用制御装置２２０によって制御され、第１〜第８床冷暖房パネルＰ１〜Ｐ８の冷暖房能力設定に対応する開閉動作を行う。
【００３３】
また、上記戻りヘッダ２０５には、第１〜第８床冷暖房パネルＰ１〜Ｐ８の水出口が接続されている。これにより、第１〜第８床冷暖房パネルＰ１〜Ｐ８の温水(または冷水)が、床冷暖房ユニット２００に戻り、水回路２１１を循環できるようになっている。
【００３４】
また、上記床冷暖房ユニット２００は、往き水温センサ２１２、第１〜第８戻り水温センサＴ１〜Ｔ８、冷媒温度センサ２１４、冷媒圧センサ２１５および床冷暖房ユニット用制御装置２２０を有する。上記往き水温センサ２１２、第１〜第８戻り水温センサＴ１〜Ｔ８、および、冷媒温度センサ２１４は、例えばサーミスタからなる。
【００３５】
上記往き水温センサ２１２は、膨張タンク２０２から往きヘッダ２０４へ向かって流れる温水(または冷水)の温度、すなわち、第１〜第８床冷暖房パネルＰ１〜Ｐ８の往き水温を検出し、この温度を表す信号を床冷暖房ユニット用制御装置２２０に送出する。
【００３６】
上記第１〜第８戻り水温センサＴ１〜Ｔ８は、それぞれ、第１〜第８床冷暖房パネルＰ１〜Ｐ８から戻りヘッダ２０５を介して水熱交換器２０１へ向かって流れる温水(または冷水)の温度、すなわち、第１〜第８床冷暖房パネルＰ１〜Ｐ８の戻り水温を検出し、この温度を表す信号を床冷暖房ユニット用制御装置２２０に送出する。
【００３７】
上記冷媒温度センサ２１４は、電動膨張弁１０４と水熱交換器２０１の他端とを接続する冷媒配管かつ水熱交換器２０１の近傍に配置されている。この冷媒温度センサ２１４は、電動膨張弁１０４と水熱交換器２０１の間の冷媒の温度を検出し、この温度を表す信号を床冷暖房ユニット用制御装置２２０に送出する。
【００３８】
上記冷媒圧センサ２１５は、四路切換弁１０２と水熱交換器２０１の一端とを接続する冷媒配管かつ水熱交換器２０１の近傍に配置されている。また、冷媒圧センサ２１５は、四路切換弁１０２の第４ポート１０２ｄと水熱交換器２０１との間の冷媒の圧力を検出し、この圧力を表す信号を床冷暖房ユニット用制御装置２２０に送出する。
【００３９】
上記床冷暖房ユニット用制御装置２２０は、リモートコントローラ４００から、第１〜第８床冷暖房パネルＰ１〜Ｐ８の冷暖房能力設定を表す信号を受信する。また、床冷暖房ユニット用制御装置２２０は、リモートコントローラ４００からの信号などに基づいて、循環ポンプ２０３および第１〜第８熱動弁Ｖ１〜Ｖ８などを制御する。
【００４０】
〔第１〜第８床冷暖房パネルＰ１〜Ｐ８の構成〕
上記第１〜第８床冷暖房パネルＰ１〜Ｐ８は、第１〜第８熱動弁Ｖ１〜Ｖ８を介して、温水(または冷水)の供給を受けて、温調ゾーンの冷暖房を行う。より詳しくは、第１〜第８床冷暖房パネルＰ１〜Ｐ８は、蛇行形状に形成された第１〜第８水循環パイプ３０１〜３０８を有する。この第１〜第８水循環パイプ３０１〜３０８内には、水熱交換器２０１からの温水(または冷水)が流れる。また、第１〜第８水循環パイプ３０１〜３０８の上流側の端部が、第１〜第８床冷暖房パネルＰ１〜Ｐ８の水入口を形成する。また、第１〜第８水循環パイプ３０１〜３０８の下流側の端部が、第１〜第８床冷暖房パネルＰ１〜Ｐ８の水出口を形成する。
【００４１】
ここで、上記温調ゾーンとは、第１〜第８水循環パイプ３０１〜３０８から温熱または冷熱が供給される空間を指す。
【００４２】
図２は上記リモートコントローラ４００の概略正面図を示している。
【００４３】
〔リモートコントローラ４００の構成〕
上記リモートコントローラ４００は、操作部４０１と、この操作部４０１上に設けられた表示部４０２とを備える。リモートコントローラ４００は、温調ゾーン単位で設置され、床冷暖房ユニット用制御装置２２０と有線または無線で通信を行う。
【００４４】
上記操作部４０１は、ゾーン選択ボタン４１１、表示切替ボタン４１２、運転／停止ボタン４１３、戻るボタン４１４、メニュー／決定ボタン４１５、上ボタン４１６、下ボタン４１７、右ボタン４１８および左ボタン４１９を有する。ユーザーが、ゾーン選択ボタン４１１、表示切替ボタン４１２、…および左ボタン４１９を操作すると、この操作に対応する操作信号が床冷暖房ユニット用制御装置２２０(図１に示す)へ出力される。すなわち、床冷暖房ユニット用制御装置２２０は、リモートコントローラ４００の操作部４０１から、ユーザーの操作に対応する操作信号を受信する。
【００４５】
図３は上記リモートコントローラ４００の画面表示を説明するための図を示している。
【００４６】
図３に示すように、表示部４０２は、第１画面４０３を表示している。なお、表示部４０２は、第１画面４０３と第２画面(図示せず)を切り替えて表示することが可能である。
【００４７】
この第１画面４０３および第２画面には、第１〜第８床冷暖房パネルＰ１〜Ｐ８(図１に示す)のうちの少なくとも１つの床冷暖房パネルに関わる情報を表示させることが可能である。また、第１画面４０３および第２画面には、第１〜第８床冷暖房パネルＰ１〜Ｐ８のうちの複数の床冷暖房パネルに関わる複数の情報を同時に表示可能である。ここで、上記情報とは、第１〜第８床冷暖房パネルＰ１〜Ｐ８が運転している否かを示す情報と、第１〜第８床冷暖房パネルＰ１〜Ｐ８のタイマー運転が設定されているか否かを示す情報と、第１〜第８床冷暖房パネルＰ１〜Ｐ８の運転モードを示す情報と、第１〜第８床冷暖房パネルＰ１〜Ｐ８の冷暖房能力の設定の情報とのうちの少なくとも１つを指す。
【００４８】
上記第１画面４０３には、中央の主要領域が縦方向に４分割されて、第１表示領域４３１と、第２表示領域４３２と、第３表示領域４３３および第４表示領域４３４が設けられている。一方、図示しない第２画面にも、第１画面４０３と同様に中央の主要領域が縦方向に４分割されて、第５表示領域、第６表示領域、第７表示領域および第８表示領域が設けられている。この第１〜第４表示領域４３１〜４３４および第５〜第８表示領域のそれぞれには、少なくとも、制御グループを示すアルファベットと、運転または停止の漢字と、冷暖房の能力設定目盛の図形とが表示される。
【００４９】
より詳しくは、図３の第１画面４０３では、第１床冷暖房パネルＰ１が制御グループＡに属し、第２床冷暖房パネルＰ２が制御グループＢに属し、第３床冷暖房パネルＰ３が制御グループＣに属し、第４床冷暖房パネルＰ４が制御グループＤに属するように設定されている。また、図示しない第２画面では、第５床冷暖房パネルＰ５が制御グループＥに属し、第６床冷暖房パネルＰ６が制御グループＦに属し、第７床冷暖房パネルＰ７が制御グループＧに属し、第８床冷暖房パネルＰ８が制御グループＨに属するように設定されている。
【００５０】
次の表１には、その第１〜第８床冷暖房パネルＰ１〜Ｐ８と制御グループＡ〜Ｈとの関係を示している。
【００５１】
【表１】
2016125676.tif 000003
【００５２】
この表１の制御グループ「Ａ」〜「Ｈ」は、リモートコントローラ４００の上ボタン４１６,下ボタン４１７,右ボタン４１８および左ボタン４１９の操作で変更可能になっている。例えば、「２」下の「Ｂ」を「Ａ」に変更すると、第１,第２床冷暖房パネルＰ１,Ｐ２が制御グループＡに属するように設定することが可能である。
【００５３】
また、上記第１〜第４表示領域４３１〜４３４および第５〜第８表示領域には、温調ゾーンの名称が表示されている。この温調ゾーンの名称は、制御グループに属する床冷暖房パネルで冷暖房される温調ゾーンの名称である。例えば、第１表示領域４３１の「１Ｆリビング１」は、第１床冷暖房パネルＰ１で温調される温調ゾーンの名称を示している。
【００５４】
また、上記第１〜第４表示領域４３１〜４３４および第５〜第８表示領域において、「運転」は、床冷暖房パネルが運転中であることを示す一方、「停止」は、床冷暖房パネルが停止中であることを示す。例えば、第３表示領域４３３の「停止」は、第３床冷暖房パネルＰ３が停止中で冷暖房を行っていないことを示している。
【００５５】
また、上記第３,第４表示領域４３３,４３４では、タイマー運転が設定されていることを時計の図形で示している。すなわち、第３,第４床冷暖房パネルＰ３,Ｐ４は、ユーザーが設定した時間に冷暖房を行うようになっている。
【００５６】
また、上記第１〜第４表示領域４３１〜４３４および第５〜第８表示領域には、第１〜第８床冷暖房パネルＰ１〜Ｐ８の運転モードが示される。
【００５７】
また、上記第１〜第４表示領域４３１〜４３４では、冷暖房の能力を設定する能力設定目盛の図形５０１〜５０４が表示されている(第５〜第８表示領域も同様)。例えば、第４表示領域４３４の目盛の図形５０４は、暖房運転時、第４床冷暖房パネルＰ４の暖房能力が最小となる設定であることを示す一方、冷房運転時、第４床冷暖房パネルＰ４の冷房能力が最大となる設定であることを示している。また、第１表示領域４３１の目盛の図形５０４は、暖房運転時、第１床冷暖房パネルＰ１の暖房能力が最大となる設定であることを示す一方、冷房運転時、第１床冷暖房パネルＰ１の冷房能力が最小となる設定であることを示している。
【００５８】
また、上記リモートコントローラ４００は、温調ゾーン温度センサ４０４と、選択部の一例としてのリモコンサーモ設定部４０５と、エリア設定部４０６とを備える。リモコンサーモ設定部４０５およびエリア設定部４０６は、ソフトウェアで構成されている。
【００５９】
温調ゾーン温度センサ４０４は、例えばサーミスタからなり、リモートコントローラ４００が設置されている温調ゾーンの温度を検出する。
【００６０】
リモコンサーモ設定部４０５は、温調ゾーンが属している制御グループの床冷暖房パネルＰ１〜Ｐ８の戻り水温の目標温度（以下、温調ゾーンの目標温度という）を算出するときに、温調ゾーン温度センサ４０４により検出された温度による補正（以下、目標温度補正という）を行うか否かの設定を行う。この設定は、リモコンサーモ設定部４０５によって、目標温度補正を行う１以上の温調ゾーンを選択することにより行われる。すなわち、リモコンサーモ設定部４０５によって、床冷暖房パネルＰ１〜Ｐ８の各々に対して、床冷暖房パネルＰ１〜Ｐ８の放熱量または吸熱量を、温調ゾーン温度センサ４０４により検出された温調ゾーンの温度を用いて制御するか、あるいは、温調ゾーン温度センサ４０４により検出された温調ゾーンの温度を用いることなく制御するかが選択される。また、１つのリモートコントローラ４００の温調ゾーン温度センサ４０４により検出された温調ゾーンの温度を用いて、複数の床冷暖房パネルＰ１〜Ｐ８が制御される。
【００６１】
例えば、温調ゾーンＡ〜Ｈのうち、リモコンサーモ設定部４０５により温調ゾーンＡ〜Ｆが選択された場合、表示部４０２には、次の表２に示すように、各温調ゾーンＡ〜Ｆに対応するリモコンの欄に「○」が示され、温調ゾーンＧ，Ｈに対応するリモコンの欄に「−」が示された表が表示される。すなわち、リモコンの欄に「○」が示されている温調ゾーンでは、温調ゾーンの目標温度を算出するときに、目標温度補正が行われ、リモコンの欄に「−」が示されている温調ゾーンでは、温調ゾーンの目標温度を算出するときに、目標温度補正が行われない。ユーザーにより目標温度補正の設定が行われると、設定された目標温度補正の内容を表す操作信号が、リモートコントローラ４００から床冷暖房ユニット用制御装置２２０に出力される。
【００６２】
【表２】
2016125676.tif 000004
【００６３】
エリア設定部４０６は、リモートコントローラ４００が設置されている温調ゾーンを設定する。例えば、温調ゾーンＡにリモートコントローラ４００が設置されていると設定された場合、次の表３に示すように、表示部４０２には、温調ゾーンＡに対応するリモコンの欄に「Ｉ」が示される。また、メインのリモートコントローラ４００に加え、サブのリモートコントローラ４００が温調ゾーンＥに設置されていると設定された場合、表示部４０２には、温調ゾーンＥに対応するリモコンの欄に「II」が示される。ユーザーによりリモコン位置の設定が行われると、設定されたリモコンの位置を表す操作信号が、リモートコントローラ４００から床冷暖房ユニット用制御装置２２０に出力される。
【００６４】
【表３】
2016125676.tif 000005
【００６５】
また、エリア設定部４０６は、すべての温調ゾーンＡ〜Ｈについて、属するエリアを設定する。温調ゾーンの属するエリアを設定することで、目標温度補正が、どのリモートコントローラ４００の温調ゾーン温度センサ４０４に基づいて行われるかが決定される。例えば、上記表３に示すようにメインとサブの２つのリモートコントローラ４００が設置され、次の表４に示すように温調ゾーンＡ〜Ｈのエリアが決定されたとする。この場合、エリアの欄に「Ｉ」が示されている温調ゾーンＡ〜Ｄは、メインのリモートコントローラ４００の温調ゾーン温度センサ４０４により検出された温度に基づく目標温度補正が行われる。また、エリアの欄に「II」が示されている温調ゾーンＥ〜Ｈは、サブのリモートコントローラ４００の温調ゾーン温度センサ４０４により検出された温度に基づく目標温度補正が行われる。なお、メインとサブの２つのリモートコントローラ４００が設置されていたとしても、温調ゾーンＡ〜Ｈのエリアを全て「Ｉ」とすることもできる。
【００６６】
【表４】
2016125676.tif 000006
【００６７】
すなわち、リモコンサーモ設定部４０５およびエリア設定部４０６により、例えば、表２に示す目標温度補正の設定が行われており、表３に示すように、２つのリモートコントローラ４００が設置され、表４に示すようにエリアが設定されているとする。この場合、温調ゾーンＡ〜Ｄは、目標温度を算出するときに、メインのリモートコントローラ４００の温調ゾーン温度センサ４０４により検出された温度に基づく目標温度補正が行われ、温調ゾーンＥ，Ｆは、サブのリモートコントローラ４００の温調ゾーン温度センサ４０４により検出された温度に基づく目標温度補正が行われる。また、温調ゾーンＧ，Ｈは、目標温度を算出するときに、目標温度補正が行われない。
【００６８】
〔床冷暖房ユニット用制御装置２２０の構成〕
上記床冷暖房ユニット用制御装置２２０は、マイクロコンピュータおよび入出力回路などからなる。
【００６９】
この床冷暖房ユニット用制御装置２２０は、図１に示すように、目標戻り水温算出部２２１と、熱量制御部２２２とを備える。目標戻り水温算出部２２１および熱量制御部２２２は、ソフトウェアで構成されている。
【００７０】
目標戻り水温算出部２２１は、リモートコントローラ４００の能力設定目盛に対応する目標戻り水温を第１〜第８床冷暖房パネルＰ１〜Ｐ８毎に算出する。目標戻り水温は、第１〜第８床冷暖房パネルＰ１〜Ｐ８の運転モードに応じて決定されるリモコン補正値と、外気温度センサ１１０により検出される外気温度と、リモコンサーモ設定部４０５により選択されている温水ゾーンに属している制御グループの床冷暖房パネルである場合は温調ゾーン温度センサ４０４により検出された温調ゾーンの温度と、設置されている床冷暖房パネルＰ１〜Ｐ８の種類に応じて決定される床冷暖房パネル補正値とに基づいて、算出される。すなわち、目標戻り水温は、リモコン補正値と、外気温度と、床冷暖房パネル補正値と、リモコンサーモ設定部４０５により選択されている温調ゾーンについては、温調ゾーンの温度とに基づいて算出される。
【００７１】
熱量制御部２２２は、第１〜第８床冷暖房パネルＰ１〜Ｐ８に供給される温水または冷水の温度を決定する水温決定部２２３と、第１〜第８熱動弁Ｖ１〜Ｖ８のオンオフを制御する熱動弁制御部２２４とで構成されている。この熱量制御部２２２は、第１〜第８戻り水温センサＴ１〜Ｔ８により検出される戻り水温の各々が、目標戻り水温算出部２２１によって算出された目標戻り水温となるように、第１〜第８床冷暖房パネルＰ１〜Ｐ８の放熱量または吸熱量を制御する。
【００７２】
水温決定部２２３は、設定されている目標室内温度に基づいて、第１〜第８床冷暖房パネルＰ１〜Ｐ８に供給する温水または冷水の温度を決定すると共に、この決定の結果を水温設定信号として出力し、室外機用制御装置１２０に送信する。水温設定信号を受信した室外機用制御装置１２０によって、圧縮機１０１の運転周波数および電動膨張弁１０４の開度が制御され、決定された温度の温水または冷水が第１〜第８床冷暖房パネルＰ１〜Ｐ８に供給される。
【００７３】
熱動弁制御部２２４は、目標戻り水温算出部２２１により算出された目標戻り水温に基づいて、第１〜第８床冷暖房パネルＰ１〜Ｐ８に対応する熱動弁Ｖ２〜Ｖ８のオンオフのデューティー比を制御する。詳しくは、第１〜第８戻り水温センサＴ１〜Ｔ８により検出される戻り水温が目標戻り水温となるような温水または冷水を第１〜第８床冷暖房パネルＰ１〜Ｐ８に供給すると共に、温水または冷水を供給している第１〜第８床冷暖房パネルＰ１〜Ｐ８に対応する第１〜第８熱動弁Ｖ１〜Ｖ８のオンオフを２０分間隔で繰り返すように制御して、第１〜第８熱動弁Ｖ１〜Ｖ８のオフ時間を調整する。これにより、目標戻り水温算出部２２１により算出された目標戻り水温の温水または冷水が２０分間連続で供給されたときと同じ熱量の温水または冷水が、第１〜第８床冷暖房パネルＰ１〜Ｐ８に供給されるようにする。
【００７４】
〔暖房（冷房）運転時の制御〕
続いて、上記構成の温調システムの暖房（冷房）運転字の制御について説明する。まず、目標戻り水温算出部２２１が、リモートコントローラ４００の冷暖房の能力設定目盛に対応する目標戻り水温を第１〜第８床冷暖房パネルＰ１〜Ｐ８毎に算出する。
【００７５】
次に、第１〜第８戻り水温センサＴ１〜Ｔ８により検出される戻り水温が、上記目標戻り水温算出部２２１により算出された第１〜第８床冷暖房パネルＰ１〜Ｐ８の目標戻り水温のうち、最も高い（最も低い）目標戻り水温になるように、熱量制御部２２２が第１〜第８床冷暖房パネルＰ１〜Ｐ８の放熱量（吸熱量）を制御する。
【００７６】
例えば、第１〜第８床冷暖房パネルＰ１〜Ｐ８のうち、第１床冷暖房パネルＰ１の目標戻り水温が最も高い（最も低い）目標戻り水温、すなわち、最高目標戻り水温（最低目標戻り水温）であるとする。この場合、第１戻り水温センサＴ１により検出される戻り水温が第１床冷暖房パネルＰ１の目標戻り水温になるように、水温決定部２２３によって第１〜第８床冷暖房パネルＰ１〜Ｐ８に供給される温水（冷水）の温度が制御される。そして、冷暖房ユニット用制御装置２２０によって循環ポンプ２０３がオンされると共に、熱動弁制御部２２４によって第１床冷暖房パネルＰ１に対応する熱動弁Ｖ１が全開にされる。
【００７７】
また、他の第２〜第８床冷暖房パネルＰ２〜Ｐ８に対応する熱動弁Ｖ２〜Ｖ８は、それぞれに対応する目標戻り水温に基づいて、熱動弁制御部２２４によりオンオフ制御される。このとき、熱動弁制御部２２４は、第２〜第８床冷暖房パネルＰ２〜Ｐ８夫々の算出された目標戻り水温に基づいて、対応する熱動弁Ｖ２〜Ｖ８のオンオフのデューティー比を制御する。これにより、第１〜第８床冷暖房パネルＰ１〜Ｐ８に供給される温水（冷水）が最高目標戻り水温（最低目標戻り水温）であったとしても、各床冷暖房パネルＰ１〜Ｐ８に対して、算出された目標往き水温の温水（冷水）が連続的に供給された状態に等しい熱量の温水（冷水）を供給できる。
【００７８】
上記構成の温調システムによれば、リモコンサーモ設定部４０５によって、第１〜第８床冷暖房パネルＰ１〜Ｐ８の各々に対して、第１〜第８床冷暖房パネルＰ１〜Ｐ８の放熱量または吸熱量を、温調ゾーン温度センサ４０４により検出された温調ゾーンの温度を用いて制御するか、あるいは、温調ゾーン温度センサ４０４により検出された温調ゾーンの温度を用いることなく制御するかを選択できる。このため、温調ゾーンに応じて、床冷暖房パネルＰ１〜Ｐ８の放熱量または吸熱量を適正に制御できる。
【００７９】
また、１つのリモートコントローラ４００の温調ゾーン温度センサ４０４により検出された温調ゾーンの温度を用いて、複数の床冷暖房パネルが制御可能である。このため、例えば、温調ゾーン温度センサ４０４により温度が検出される温調ゾーンと同程度の冷暖房負荷を有する温調ゾーンが複数存在する場合、これら複数の温調ゾーンの床冷暖房パネルＰ１〜Ｐ８を１つのリモートコントローラ４００の温調ゾーン温度センサ４０４により検出された温調ゾーンの温度を用いて制御できる。
【００８０】
また、選択された温調ゾーンの床冷暖房パネルＰ１〜Ｐ８の放熱量または吸熱量が、温調ゾーンの温度に加え、外気温度に基づいて、制御される。このため、温調ゾーンに応じて、床冷暖房パネルＰ１〜Ｐ８の放熱量または吸熱量を適正に制御できる。
【００８１】
〔変形例〕
上記実施形態では、表２に示すように、温調ゾーン毎に目標温度補正を行うか否かの設定を行っているが、これに限らない。床冷暖房パネル毎に設定されるようにしてもよい。
【００８２】
また、上記実施形態では、表３に示すように、メインとサブの２つのリモートコントローラ４００を設置しているが、これに限らない。リモートコントローラ４００は、１つでもよいし、３以上でもよい。なお、設置されたリモートコントローラの数に応じて、エリアの最大数も変動する。例えば、リモートコントローラ４００の設置数が１である場合、エリアの数は１となり、全ての温調ゾーンが同じエリアに属する。また、例えば、リモートコントローラの設置数が３である場合、エリアを３つまで設定できる。
【００８３】
また、上記実施形態では、第１〜第８床冷暖房パネルＰ１〜Ｐ８を設けているが、これに限らない。床冷暖房パネルは複数であればよく、２以上の任意の数の床冷暖房パネルを設置できる。
【００８４】
また、上記実施形態では、暖房運転と冷房運転を行う温調システムについて説明したが、暖房運転または冷房運転のいずれか一方のみを行う温調システムにこの発明を適用してもよい。
【００８５】
また、上記実施形態では、リモートコントローラ４００により床冷暖房ユニット２００を遠隔操作したが、コントローラはこれに限らず、床冷暖房ユニットに設けられたコントローラであってもよい。
【００８６】
また、上記実施形態では、冷暖房ユニット用制御装置２２０の目標戻り水温算出部２２１および熱量制御部２２２をソフトウェアで構成したが、これに限らない。例えば、目標戻り水温算出部および熱量制御部の少なくとも１つをハードウェアで構成してもよい。
【００８７】
また、上記実施形態では、リモートコントローラ４００のリモコンサーモ設定部４０５およびエリア設定部４０６をソフトウェアで構成したが、これに限らない。例えば、リモコンサーモ設定部およびエリア設定部の少なくとも１つをハードウェアで構成してもよい。
【００８８】
また、上記実施形態では、床冷暖房ユニット２００の水熱交換器２０１にプレート式水熱交換器を用いたが、二重管式水熱交換器などの他の水熱交換器を用いてもよい。
【００８９】
また、上記実施形態において、冷媒圧センサ２１５の代わりに、圧力スイッチを設けてもよい。
【００９０】
また、上記実施形態では、室外機１００の冷媒回路に電動膨張弁１０４を設けていたが、膨張機構の一例としての例えばキャピラリチューブを設けてもよい。
【００９１】
また、上記実施形態において、第１〜第８床冷暖房パネルＰ１〜Ｐ８のうちの少なくとも一つを、天井冷暖房パネル、天井冷房パネル、天井暖房パネル、壁冷暖房パネル、壁冷房パネル、壁暖房パネル、または、室内設置型ラジエータなどの熱交換端末に換えてもよい。
【００９２】
また、上記実施形態において、室外機用制御装置１２０と床冷暖房ユニット用制御装置２２０の間の通信は、有線で行ってもよいし、無線で行ってもよい。
【００９３】
また、上記実施形態において、開閉弁として第１〜第８熱動弁Ｖ１〜Ｖ８を用いた温調システムについて説明したが、開閉弁はこれ限らず、電磁弁などの他の開閉機構を用いてもよい。
【００９４】
上記実施形態および変形例で述べた構成要素は、適宜、組み合わせてもよく、また、適宜、選択、置換、あるいは、削除してもよいのは、勿論である。
【符号の説明】
【００９５】
１００…室外機
１０１…圧縮機
１０２…四路切換弁
１０３…室外熱交換器
１０４…電動膨張弁
１０５…アキュムレータ
１０６…第１温度センサ
１０７…第２温度センサ
１０８…第３温度センサ
１０９…第４温度センサ
１１０…外気温度センサ
１２０…室外機用制御装置
２００…床冷暖房ユニット
２０１…水熱交換器
２０２…膨張タンク
２０３…循環ポンプ
２０４…往きヘッダ
２０５…戻りヘッダ
２１１…水回路
２１２…往き水温センサ
２１４…冷媒温度センサ
２１５…冷媒圧センサ
２２０…床冷暖房ユニット用制御装置
２２１…目標戻り水温算出部
２２２…熱量制御部
２２３…水温決定部
２２４…熱動弁制御部
４００…リモートコントローラ
４０１…操作部
４０２…表示部
４０３…第１画面
４０４…温調ゾーン温度センサ
４０５…リモコンサーモ設定部
４０６…エリア設定部
４３１…第１表示領域
４３２…第２表示領域
４３３…第３表示領域
４３４…第４表示領域
５０１〜５０４…能力設定目盛の図形
Ｖ１…第１熱動弁
Ｖ２…第２熱動弁
Ｖ３…第３熱動弁
Ｖ４…第４熱動弁
Ｖ５…第５熱動弁
Ｖ６…第６熱動弁
Ｖ７…第７熱動弁
Ｖ８…第８熱動弁
Ｖ９…水抜き栓
Ｐ１…第１床冷暖房パネル
Ｐ２…第２床冷暖房パネル
Ｐ３…第３床冷暖房パネル
Ｐ４…第４床冷暖房パネル
Ｐ５…第５床冷暖房パネル
Ｐ６…第６床冷暖房パネル
Ｐ７…第７床冷暖房パネル
Ｐ８…第８床冷暖房パネル
Ｔ１…第１戻り水温センサ
Ｔ２…第２戻り水温センサ
Ｔ３…第３戻り水温センサ
Ｔ４…第４戻り水温センサ
Ｔ５…第５戻り水温センサ
Ｔ６…第６戻り水温センサ
Ｔ７…第７戻り水温センサ
Ｔ８…第８戻り水温センサ
【図１】
2016125676.tif 000007
【図２】
2016125676.tif 000008
【図３】
2016125676.tif 000009